(57)【要約】【課題】  放送用データの出力が停止したり放送用データのレベルが一定以下である場合に、予備の放送用データの出力への切替が行われ、且つ、装置そのものの構成が簡便であって製造が簡単な放送装置を提供する。【解決手段】  予備となる放送用データを記録した記録媒体１０を備え、放送用データを入力する入力端２の後段に、入力されて来る放送用データのレベルが一定以下か否かを判別するコンパレータ６を接続し、コンパレータ６が前記入力の放送用データのレベルが連続して一定時間一定以下であると、制御部７は切替えスイッチ８を制御して送信部１２に送る放送用データを記録媒体１０からのものに切り替える構成とした。【選択図】  図１
2008219234.tif 000002
【特許請求の範囲】
【請求項１】
放送用データを外部から入力する入力端と、
その入力端の後段に接続され、入力される放送用データのレベルを検出する検出部と、
その検出部で検出された放送用データを入力して送信を行う送信部と、
放送用データが記録され、所望によりその記録された放送用データを出力する記録媒体と、
前記検出部が、前記入力端から入力して来る放送用データのレベルが連続の一定時間予め設定した基準値以下であると検出した際に、前記記録媒体に記録されている放送用データを前記送信部に送るように切替え制御を行う制御部と、が備えられてなる放送装置。
【請求項２】
前記送信部から送信される放送用データが前記記録媒体からの放送用データである際に前記入力端に前記基準値を超えた放送用データが入力される場合であって、そのレベルが新たに前記基準値を超えた放送用データが当該装置にとって支障を来すほどに高いレベルの場合には、その放送用データを廃棄するアンプが備えられてなる請求項１に記載の放送装置。
【発明の詳細な説明】
【背景技術】
【０００１】
この発明は、例えばラジオ受信装置に放送信号を送るといった放送装置に関し、特に、その放送装置が放送を行っている最中に放送すべきデータが中断する、所謂放送事故の回避に関する。
【０００２】
例えば、ラジオ放送においては、ラジオ受信装置に対して放送信号を送る、つまり、ラジオ放送を行う場合には、放送用マイクロホンに音声を任意に発することが可能なアナウンサーと、ラジオ放送すべき音楽や音声のデータを任意に再生することのできる再生手段が必要である。
更に、実際にラジオ放送を行っていく際には、放送の途中で上記再生手段が何らかの原因によって再生機能が中断して放送用データが出力されなくなった場合に対して、上記再生機能が中断して放送用データが出力されなくなったことを検知する手段と、その再生手段から本来出力されるべき放送用データの代わりにその代替となる音楽や音声を出力する手段が必要である。
【０００３】
つまり、放送すべき音声に係る信号は放送用の電波に乗って始めて放送が行われることになるので、上記再生手段、つまり、放送用データを出力する手段から放送用の電波を送信する放送手段までの間に何らかのトラブルが発生して前記放送手段に放送用データが到達しなければ、その放送用データは放送されないことになる。
同様に、放送用データが送られている途中にトラブルが生じて、その放送用データが前記放送手段に到達した際のレベルが一定値以下になっていると、放送の受信側では十分に放送を受信することができないということになる。
【０００４】
従って、ラジオ放送を行うには、予め放送を予定しているデータが所望通りに上記再生手段で再生されない場合に対し、代替となるデータによって補充を行う手段を備える必要がある。
ラジオ放送を行っている際に放送（送信）すべき音楽や音声のデータの出力が停止し、このデータの出力の停止によって放送が中断し、所謂放送事故が生じる場合に、この状態を回避するための装置として以下の文献が知られている。
【０００５】
【特許文献１】特開２００２−６４４５４号公報
【発明の開示】
【発明が解決しようとする課題】
【０００６】
特開２００２−６４４５４号公報に開示されている自動番組制御装置は、二組の構成が同一の素材切替監視制御装置を備えて現用と予備用とし、それらを切替使用する構成を採用し、且つ、それら二組の素材切替監視制御装置の素材信号が互いに対応して切替制御に寄与する構成としている。
斯かる構成の自動番組制御装置は、二組の素材切替監視制御装置のうちの現用からの素材信号の送出に問題があれば、即座に切替って、予備用の素材切替監視制御装置が対応して素材信号を送出するので、送出が停止したままの状態である放送事故は回避されることになる。
【０００７】
しかしながら、特開２００２−６４４５４号公報に開示の自動番組制御装置は、二組の構成が全く同じの素材切替監視制御装置を備える必要があることから、構成が大掛かりになり、製造コストも高くつくという問題があった。
同様に、特開２００２−６４４５４号公報に開示の自動番組制御装置は、上述の構成であることから、一方の素材切替監視制御装置に不具合が生じると他方の素材切替監視制御装置が機能して一連の内容（データ）が継続して放送されることになる。
【０００８】
つまり、一方の素材切替監視制御装置に不具合が生じることに対して一連の内容（データ）が継続して放送されるには、特開２００２−６４４５４号公報で開示された発明の構成を取らざるを得ない。
しかしながら、放送用データの出力に不具合が生じた際に、放送の中断が避けられるだけでよいという場合もある。
【０００９】
この発明は、上記の事情に鑑みてなされたものであり、放送用データの出力が停止したり、放送手段への入力時のレベルが一定以下である場合に予備の放送用データの出力への切替が行われ、且つ、装置そのものの構成が簡便であって製造が簡単な放送装置を提供するものである。
【課題を解決するための手段】
【００１０】
この発明は、入力して来る放送用データのレベルが一定以下の状態が連続して一定時間続くと、記録媒体に記憶させた放送用データに切替えて放送（送信）を行う装置である。
その詳細な構成は、放送用データを外部から入力する入力端と、その入力端の後段に接続され、入力される放送用データのレベルを検出する検出部と、その検出部で検出された放送用データを入力して送信を行う送信部と、放送用データが記録され、所望によりその記録された放送用データを出力する記録媒体と、前記検出部が、前記入力端から入力して来る放送用データのレベルが連続の一定時間予め設定した基準値以下であると検出した際に、前記記録媒体に記録されている放送用データを前記送信部に送るように切替え制御を行う制御部と、が備えられてなる放送装置である。
【００１１】
又、この発明の放送装置は、前記送信部から送信される放送用データが前記記録媒体からの放送用データである際に前記入力端に前記基準値を超えた放送用データが入力される場合であって、そのレベルが新たに前記基準値を超えた放送用データが当該装置にとって支障を来すほどに高いレベルの場合に、その放送用データを廃棄するアンプを備えた構成が挙げられる。
【発明の効果】
【００１２】
本発明は、放送用データのレベルを監視し、そのレベルが一定以下であると判別されると、記録媒体から読出した放送用データに切替えて放送するように構成したことにより、放送用データの入力に不具合があると、記録媒体からの放送用データが放送されて放送事故を回避させ、且つ、装置全体の構成がコンパクトな放送装置である。
【発明を実施するための最良の形態】
【００１３】
この発明を、図面に示す最良の形態に基づき説明する。しかし、この形態によって、この発明が限定されるものではない。
放送装置１は、図１に示すように、入力端２と、アンプ３と、Ａ／Ｄ変換器４と、基準値出力部５と、コンパレータ６と、制御部７と、切替えスイッチ８と、バッファメモリ９と、記録媒体１０と、Ｄ／Ａ変換部１１と、送信部１２と、操作部１３と、メモリ１４が備えられている。
【００１４】
入力端２は、放送用データを入力する端子であり、具体的には、放送用のデジタルの音声データ、音楽データ、アナウンサーの音声データ等を入力する。
アンプ３は、入力端２からＡ／Ｄ変換器４へのデータの流れが逆方向に流れを防ぐためのものである。
【００１５】
Ａ／Ｄ変換器４は、入力端２からの放送用のアナログのデータをデジタルのデータに変換するものである。
基準値出力部５は、放送用データのレベルの判定を行うための基準レベル値を出力するものであって、コンパレータ６と共同してＡ／Ｄ変換器４からの放送用データのレベルが予め設定している基準値と比較し、その基準値以下か否かの判別を行うのものである。
【００１６】
コンパレータ６は、Ａ／Ｄ変換器４からの放送用データのレベルと基準値出力部５からの基準値の比較を行い、その結果を制御部７に送るものである。
制御部７は、コンパレータ６からＡ／Ｄ変換器４からの放送用データのレベルと基準値出力部５からの基準値の比較結果を受け、予め設定された一定時間（例えば、６０秒間）の間で連続して、Ａ／Ｄ変換器４からの放送用データのレベルが基準値出力部５からの基準値以下である場合には、記録媒体１０に記録されている放送用データを読み出すように切替えスイッチ８を制御するものである。
【００１７】
バッファメモリ９は、記録媒体１０からの放送用データにバッファリングを行うものである。
記録媒体１０は、デジタルの放送用データを記録し、その記録している放送用データを所望によって読出しが可能である。
【００１８】
記録媒体１０は、具体的に、フラッシュメモリの不揮発性メモリであって、放送装置１への放送用データの入力に不具合が生じた際に、その不具合を解決（修理、他の放送装置への切替え等）に要する時間以上に長時間の放送用データが記録されている。
Ｄ／Ａ変換器１０は、Ａ／Ｄ変換器４からのデジタルの放送用データ又は記録媒体１０からのデジタルの放送用データを入力してアナログのデータに変化し出力するものである。
【００１９】
送信部１２は、Ｄ／Ａ変換器１０からのアナログの放送用データを入力して、放送電波として送信するものである。
操作部１３は操作部７に操作信号を送るためのものであり、基準値出力部５の基準値の設定、コンパレータ６においてＡ／Ｄ変換器４からのデータのレベルが基準値出力部５からのレベル以下であると判別した状態が継続し、制御部７が入力端２からの放送用データが入力されていないと判断して切替えスイッチ８に制御信号を送るべきとする時間、切替えスイッチ８の作動と解除、送信部１２の送信出力等の制御のための操作を行うものである。
【００２０】
メモリ１４は、制御部７の機能に必要なデータ、制御部７がコンパレータ６によって入力端２から入力して来る放送用データのレベルが継続して基準置以下であって記録媒体１０に記録されている放送用データに切替えるべきとする継続時間、送信部１２の機能の制御に要するデータが記録されている。
放送装置１は、上記で説明した手段に加えて、入力端２に入力される放送用データのレベルが基準値以下となり、Ｄ／Ａ変換器１１を介して送信部１２に送られる放送用データが記録媒体１０からのデジタルの放送用データに切り換わった後、入力端２に再び基準値のレベル以上の放送用データが入力された際に、送信部１２から出力（放送）するデータを入力端２からの放送用データに切り替わる構成になっている。
【００２１】
つまり、レベルが上記基準値以上の放送用データが再び入力端２に入力されると、アンプ３を介して、コンパレータ６に送られる。
ここで、コンパレータ６は、入力端２から入力された来た放送用データのレベルと基準値出力部５からの基準レベル値を比較して、当該放送用データのレベルが基準レベル値を超えている場合には、その旨の信号を制御部７に送る。
【００２２】
制御部７は、コンパレータ６から上記の信号を受けると、入力端２からの放送用データのレベルが放送して受信されても問題ないということにより、Ｄ／Ａ変換器１１との接続をバッファメモリ９からＡ／Ｄ変換器３に切り替えるように、切替えスイッチ８に制御信号を送る。
ここで、送信部１２から送信される放送用データは、入力端２から入力された放送用データが使用される状態になる。つまり、入力端２からの放送用データの使用が復帰することになる。
【００２３】
放送装置１は、上記放送用データの選択を入力端２からの放送用データに復帰する構成に加えて、入力端２からの放送用データが放送用データとして必要な下限のレベルについては問題ないが、装置の安全として必要な上限のレベルのよりも超えている場合に、入力端２からの放送用データの入力を回避するための手段が備えられている。
つまり、アンプ３は、入力端２からの放送用データのレベルが一定以上の値であれば、入力端２からの放送用デーをタＡ／Ｄ変換器４に送ることを停止する、いわゆるリミッタアンプとして作用する構成になっている。
【００２４】
尚、放送装置１は、入力端２からの放送用データのレベルが基準値以下の状態が予め設定した期間続くと、送信部１２から放送される放送用データは記録媒体１０からの放送用データに切り替わるが、この切換えによって、入力端２から放送用データの供給を受けている場合に係る操作部１２からの操作が停止の状態となるように、制御部７は構成されている。
その後、入力端２からの放送用データのレベルが基準値を超える状態となって、送信部１２から放送される放送用データが入力端２からの放送用データに復帰すると、入力端２からの放送用データの供給を受けている場合に係る操作部１２からの操作も復帰する構成になっている。
【００２５】
斯かる構成により、送信部１２から放送する放送用データを入力端２からではなく記録媒体１０から受けている場合に、放送用データを入力端２から供給を受けるという初期の設定状態を保持することが可能になっている。
放送装置１は、上述したように構成されている。
従って、放送装置１が初期状態（正常な状態）においては、入力端２に入力される放送用データは一定以上の上記基準値を超えたレベルのデータであり、その時の放送用データは、アンプ３、Ａ／Ｄ変換器４、切替えスイッチ８、Ｄ／Ａ変換器１１を介して送信部１２に送られ、送信部１２から出力（放送）される。
【００２６】
放送の途中で、入力端２の前段において問題が生じて、入力端２に入力されて来る放送用データのレベルが上記基準値以下であれば、そのままのレベルでその放送用データを送信部１２から送信すると、受信側で受信が不可能な状態が一定時間続くことになり、受信者は送信側である放送装置１に問題が生じたのか？、或いは、受信装置に問題が生じたのか？、の判別が付かない、又、受信装置に問題がないのであれば、何らかの送信が引き続き行われて欲しいなどの問題が生じる。
斯かる問題に対して、放送装置１は、入力端２に入力された放送用データが、アンプ３及びＡ／Ｄ変換器３を介してコンパレータ６に送られる。
【００２７】
コンパレータ６は、使用者が予め操作部１２を操作することによって入力して基準値出力部４に記憶させている基準のレベル値を読み出して、Ａ／Ｄ変換器４からの放送用データのレベルの比較を行い、その結果を制御部７に送る。
制御部７は、コンパレータ６からの比較結果を受けて、使用者が予め操作部１２を操作することによって入力してメモリ１４に記憶させている連続の一定時間（例えば、６０秒）の長さより長く、入力端２からの放送用データのレベルが基準値出力部４からの基準レベル以下の状態が継続すると、Ｄ／Ａ変換器１１をバッファメモリ９に切り替えて接続するように切替えスイッチ８に制御信号を送る。
尚、勿論のことであるか、上記の一定時間の６０秒は、設定及び変更が可能である。
【００２８】
ここで、記録媒体１０から放送用データがバッファメモリ９及びＤ／Ａ変換器１１を介して送信部１２に送られ、結果的に、記録媒体１０からの代替となる放送用データが送信部１２から送信される。
従って、放送を聴く者は、上記の入力端２からの放送データのレベルが基準値以上でなかった期間だけ実質的に放送を聴くことができなくとも、その後に記録媒体１０からの代替となる放送用データを受信して聴くことが可能となる。
【００２９】
その後、放送装置１の使用者や関係者が放送装置１から放送（送信）している放送データは記録媒体１０からの代替となる放送用データであることに気付くと、入力端２の前段に出力低下が生じていることが分かり、修理を行う。
放送装置１の使用者や関係者が放送装置１の入力端２の前段に位置する装置類を修理して、放送用データを出力させる。
ここで、前記装置類から送られた放送用データは入力端２に送られ、更に、アンプ３に進む。
【００３０】
ここで、アンプ３は、入力端２から送られて来た放送用データのレベルが、上記の装置の安全として必要な上限のレベルを超えているか否かの判別を行う。
入力の放送用データのレベルがこの上限のレベルを超えていると判別した場合には、アンプ３は入力された放送用データをＡ／Ｄ変換器４に送らずに廃棄する。
【００３１】
コンパレータ６は、Ａ／Ｄ変換器４から放送用データの入力がないことから、実質的に放送用データのレベルが前記基準値より遙かに下であると見なして、その旨を制御部７に送る。
制御部７は、コンパレータ６からの判別結果に係る信号を受けて、入力端２への放送用データのレベルが上記基準値を超えていないことにより、切替えスイッチ８に制御信号を送ることはない。
【００３２】
この時、放送装置１は、送信部１２が代替となる記録媒体１０からの放送用データを放送（送信）する。
他方、アンプ３が、入力端２から送られて来た放送用データのレベルが、上記の装置の安全として必要な上限のレベルを超えていないと判別した場合には、アンプ３は入力された放送用データをＡ／Ｄ変換器４に送り、Ａ／Ｄ変換器４はその放送用データを更にコンパレータ６に送る。
【００３３】
ここで、コンパレータ６は、上述したと全く同様に、入力端２に新たに入力された放送用データのレベルを基準値出力部５からの基準値と比較する。
放送装置１は、上述したように構成されているので、中断の後に入力端２に新たに入力される放送用データのレベルが装置にとって許容できる値を超えている場合には、アンプ３はその放送用データを廃棄するので、装置全体として問題が生じることはない。
【００３４】
放送装置１は、上述したように、入力端２からの放送用データのレベルが基準値以下である状態が連続して一定期間続くと、記録媒体１０からの放送用データに切り替わって送信部１２から放送されるので、受信する者にとっては放送受信を再開することが可能になるので、受信装置に問題が生じているのではないか？、などといった懸念が生じることはなく、放送受信を続けることができる。
又、放送装置１は、上述したように簡便な構成になっており、製造も簡単で製造コストを低く抑えることが可能になっている。
【００３５】
放送装置１は、入力端２から再び基準値を超えたレベルの放送用データが入力された場合には、入力端２からの放送用データを優先して放送を行う構成であるが、入力端２の前段階における放送データが装置そのものにとって不具合を生じさせる程に高いレベルの放送データであれば、その放送データを選択せず、記録媒体１０からの放送用データを放送するので、結果的に、放送状態が長時間に亘って停止するということは生じない。
従って、受信者に、不要な不安や迷惑を掛けることを回避することが可能になっている。
【図面の簡単な説明】
【００３６】
【図１】本発明に係る最良の形態の構成を説明する構成説明図である。
【符号の説明】
【００３７】
１：      放送装置
２：      入力端
３：      アンプ
５：      基準値出力部
６：      コンパレータ
７：      制御部
８：      切替えスイッチ
１０：    記録媒体
１２：    送信部
【図１】
2008219234.tif 000003